(57)【特許請求の範囲】
【請求項１】
ユーザより、アクセス先の指定を受付ける入力ステップと、
前記アクセス先のホームページに含まれるファイルにアクセスするアクセスステップと、
前記アクセス先のホームページに含まれるＨＴＭＬファイルおよびＨＴＭＬファイルにリンクされているリンクファイルを取得する取得ステップと、
前記ファイルの内のＨＴＭＬファイルから参照されるリンクファイルの属性を判別するステップと、
前記リンクファイルの属性ごとに、印刷の画質に関する設定を受付ける受付ステップと、
前記受付けた画質に関する設定を画像パラメータとして、前記リンクファイルの属性ごとに記憶させるステップと、
前記受付けられ、記憶された前記画像パラメータに基づいて印刷データを作成する作成ステップとをコンピュータに実行させる、印刷データ作成プログラム。
【請求項２】
前記画像パラメータは、カラー調整パラメータである、請求項１に記載の印刷データ作成プログラム。
【請求項３】
ユーザより、アクセス先の指定を受付ける入力手段と、
前記アクセス先のホームページに含まれるファイルにアクセスするアクセス手段と、
前記アクセス先のホームページに含まれるＨＴＭＬファイルおよびＨＴＭＬファイルにリンクされているリンクファイルを取得する取得手段と、
前記ファイルの内のＨＴＭＬファイルから参照されるリンクファイルの属性を判別する判別手段と、
前記リンクファイルの属性ごとに、印刷の画質に関する設定を受付ける受付手段と、
前記受付けた画質に関する設定を画像パラメータとして、前記リンクファイルの属性ごとに記憶する記憶手段と、
前記受付けられ、前記記憶手段に記憶された前記画像パラメータに基づいて印刷データを作成する作成手段とを備える、印刷データ作成装置。
【請求項４】
前記画像パラメータは、カラー調整パラメータである、請求項３に記載の印刷データ作成装置。
【発明の詳細な説明】
【０００１】
【発明の属する技術分野】
この発明は印刷データ作成プログラムおよび印刷データ作成装置に関し、特に、ユーザの意図する画像を印刷することのできる印刷データ作成プログラムおよび印刷データ作成装置に関する。
【０００２】
【従来の技術】
プリンタ等の印字装置でホームページを印字する際、カラー画面のホームページであっても、カラー調整や、モノクロ印字を行なう場合がある。この場合、印字ジョブごとや、ページごとに、カラー調整や、カラー印字とモノクロ印字との切換を行なう印字方法が一般的である。
【０００３】
【発明が解決しようとする課題】
しかしながら、上述の印字方法であっては、印字ジョブごとや、ページごとの設定で印字されてしまい、ユーザの意図しない画像が印字されてしまうという問題があった。また、特定の画像に対してカラー印字が不必要な場合であっても当該画像がカラー印字されてしまう場合があるという問題もあった。
【０００４】
本発明はこれらの問題に鑑みてなされたものであり、ユーザの意図する画像を印刷することのできる印刷データ作成プログラムおよび印刷データ作成装置を提供することを目的とする。
【０００５】
【課題を解決するための手段】
上記目的を達成するために、本発明のある局面に従うと、印刷データ作成プログラムは、ユーザより、アクセス先の指定を受付ける入力ステップと、指定されたアクセス先にアクセスするアクセスステップと、指定されたアクセス先に含まれるファイルを取得する取得ステップと、上記ファイルの内のＨＴＭＬファイルから参照されるリンクファイルの属性を判別するステップと、上記リンクファイルの属性ごとに、印刷に関する設定を受付ける受付ステップと、受付けた設定に基づいて印刷データを作成する作成ステップとをコンピュータに実行させる。
【０００６】
好ましくは、印刷データ作成プログラムは、受付けた設定を画像パラメータとして、上記リンクファイルの属性ごとに記憶させるステップをさらに実行させ、作成ステップでは、リンクファイルごとに、画像パラメータに基づいて印刷データを作成する。
【０００７】
より好ましくは、上記画像パラメータは、カラー調整パラメータである。
【０００８】
本発明のある局面に従うと、印刷データ作成装置は、ユーザより、アクセス先の指定を受付ける入力手段と、指定されたアクセス先にアクセスするアクセス手段と、指定されたアクセス先に含まれるファイルを取得する取得手段と、上記ファイルの内のＨＴＭＬファイルから参照されるリンクファイルの属性を判別する判別手段と、上記リンクファイルの属性ごとに、印刷に関する設定を受付ける受付手段と、受付けた設定に基づいて印刷データを作成する作成手段とを備える。
【０００９】
好ましくは、印刷データ作成装置は、受付けた設定を画像パラメータとして、上記リンクファイルの属性ごとに記憶する記憶手段をさらに備え、作成手段は、リンクファイルごとに、記憶手段に記憶された画像パラメータに基づいて印刷データを作成する。
より好ましくは、上記画像パラメータは、カラー調整パラメータである。
【００１０】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１１】
図１は、本実施の形態における印字システムの構成を示す図である。
図１を参照して、本実施の形態における印字システムは、インターネット２に接続された印字装置１と、ホームページをインターネット２上に提供しているサーバ３ａ〜３ｄ（以降、サーバ３ａ〜３ｄを代表させてサーバ３と言う）とから構成される。
【００１２】
上述の印字システムにおいて、印字装置１は、アクセス先として指定されたＵＲＬ（Uniform Resource Locators）に示されるサーバ３に、ドライバ等を介さず直接アクセスし、ホームページの情報を取得する。具体的には、ホームページのＨＴＭＬ（Hypertext Markup Language）や、ＨＴＭＬに埋込まれているファイルや、リンクされているファイル等を取得する。そして、取得した情報を印字する。
【００１３】
上述の、本実施の形態における印字装置１の構成について説明を行なう。図２は、印字装置１の構成を示す機能ブロック図である。
【００１４】
図２を参照して、本実施の形態における印字装置１は、ユーザからの指定情報等の入力を受付ける入力部１０１と、不揮発性メモリ１０２と、インターネット２を介して通信を行なうためのインタフェースであるＬＡＮＩ／Ｆ１０３と、ＨＴＴＰ（Hypertext Transfer Protocol）クライアント１０４と、取得したファイルの解析を行なうファイル解析部１０５と、カラー印字を行なう際の、ユーザから入力されたカラー処理方法の指定を記憶するカラー調整パラメータ記憶部１０６と、印字画像データを生成する画像生成部１０７と、印字部１０８とを含む。
【００１５】
上述の印字装置１は、次のように動作する。すなわち、入力部１０１は、ユーザよりＵＲＬの指定と、指定画像パラメータ情報の指定とを受付ける。受付けたこれらの情報は、不揮発性メモリ１０２に記憶される。ＨＴＴＰクライアント１０４は、不揮発性メモリ１０２から、記憶されたＵＲＬを読出し、ＬＡＮＩ／Ｆ１０３を介して、ＵＲＬに示されるホームページからＨＴＭＬおよびリンクファイル等を取得する。取得されたデータは、ファイル解析部１０５において解析され、各ファイルに分割される。その際、不揮発性メモリ１０２に記憶された指定画像パラメータを読込み、分割された各ファイルに付加する。画像生成部１０７は、ファイル解析部１０５で解析された各ファイルのファイル情報と、付加されている指定画像パラメータ情報とに基づいて、適切な印字画像データを作成し、印字部１０８に送信する。なお、カラー印字を行なう場合には、カラー調整パラメータ記憶部１０６に記憶されている、ユーザから入力されたカラー処理方法の指定も印字部１０８に送信する。
【００１６】
上述の、入力部１０１より入力する情報について、図３〜図５に具体例を挙げ、説明を行なう。
【００１７】
図３は、入力情報の第１の具体例を示す図である。図３を参照して、第１の具体例に示される場合においては、ユーザは、入力部１０１より、印字したいホームページのＵＲＬを入力し、さらに、各ホームページに対する印字形態の指定も入力する。具体的には、指定したホームページ画面の印字形態として、表示される画面と一致した印字（カラー画面であればカラー印字）を行なう設定、およびカラー画面であってもモノクロ印字する形態等を指定して入力する。また、さらに詳細を指定することもできる。
【００１８】
ここで入力された印字形態の指定は、入力された各ＵＲＬに対応した指定画像パラメータとして印字装置１に受付けられ、不揮発性メモリ１０２に記憶される。
【００１９】
図４は、入力情報の第２の具体例を示す図である。図４に示される第２の具体例は、上述の図３に示される第１の具体例において、さらに印字形態の詳細を指定する場合における具体例である。
【００２０】
図４を参照して、第２の具体例に示される場合においては、指定されたホームページに含まれる各ファイルや属性に対しての指定画像パラメータの設定を入力する。具体的には、指定されたホームページに含まれるＪＰＥＧ画像ファイル等のＷＥＢで汎用的に用いられる各々のファイルに対して、印字しない、カラー印字を行なう、あるいはモノクロ印字を行なうといった印字形態を指定して入力する。また、ホームページに含まれる背景画像や線や文字等の各々の属性に対して、印字しない、カラー印字を行なう、あるいはモノクロ印字を行なうといった印字形態を指定して入力する。ここでＷＥＢで汎用的に用いられるファイルとは、ＪＰＥＧ画像ファイル、ＨＴＭＬ、ＧＩＦファイルおよびＰＤＦファイル等が該当する。
【００２１】
ここで入力された印字形態の指定もまた、入力された各ＵＲＬに対応した指定画像パラメータとして印字装置１に受付けられ、不揮発性メモリ１０２に記憶される。
【００２２】
図５は、入力情報の第３の具体例を示す図である。図５に示される第３の具体例は、当該印字装置１でカラー印字を行なう場合の印字形態として設定するカラー処理方法の指定の入力情報の具体例である。
【００２３】
図５を参照して、第３の具体例に示される場合においては、カラー印字を行なう際の、色相、彩度、および明度等のカラー処理方法について指定し、入力する。
【００２４】
ここで入力された印字形態の指定は、カラー印字を行なう際のカラー指定として、カラー調整パラメータ記憶部１０６に記憶される。
【００２５】
このような印字装置１における画像処理について、以下にフローチャートを挙げ、説明を行なう。図６は、本実施の形態の印字装置１における画像処理を示すフローチャートである。図６のフローチャートに示される処理は、印字装置１全体の制御を行なう制御部（図示せず）が記憶装置に記憶されるプログラムを読出して実行することによって実現される。
【００２６】
図６を参照して、入力部１０１よりＵＲＬの入力を受付けると、指定されたＵＲＬが示すホームページにアクセスし、ＨＴＭＬおよびリンクファイル等をダウンロードして取得する（Ｓ１０１）。そして、取得したファイルを解析する（Ｓ１０３）。
【００２７】
ステップＳ１０３においては、例えばステップＳ１０１で取得したＨＴＭＬを解析する場合は、テキストを抜出してテキスト情報として記憶する等の解析を行なう。また、ＪＰＥＧファイル等の画像ファイルの場合、それぞれの画像情報を取得し、ＪＰＥＧ画像として各々のファイル属性ごとにまとめて、画像情報として記憶する（Ｓ１０５）。さらに、ステップＳ１０５で取得した画像情報に対して、入力部１０１より入力され不揮発性メモリ１０２に記憶されている指定画像パラメータを読込み、付加する。
【００２８】
ここで、各画像情報に付加している指定画像パラメータが「画面と一致」している場合は（Ｓ１０７でＹＥＳ）、画像生成部１０７において、取得したＨＴＭＬおよびリンクファイル等の情報を変更せずにそのまま使用して印字画像データを生成し（Ｓ１２３）、印字部１０８において印字する（Ｓ１２１）。
【００２９】
各画像情報に、詳細な指定画像パラメータが付加されている場合（Ｓ１０７でＮＯ）、画像生成部１０７において、その指定画像パラメータに基づいて画像調整を行ない、印字画像データを生成する。具体的には、ダウンロードして取得したホームページから、ファイルを抽出し（Ｓ１０９）、指定画像パラメータに基づいて、抽出したファイルを印字する場合は（Ｓ１１１でＹＥＳ）、画像生成部１０７において、さらに指定画像パラメータに基づいて、モノクロ印字であるかカラー印字であるかに応じて（Ｓ１１３）印字画像データを生成する（Ｓ１１５またはＳ１１７）。
【００３０】
そして、ステップＳ１０１でダウンロードしたホームページに含まれる全てのファイルについて処理が終了すると（Ｓ１１９でＹＥＳ）、生成した印字画像データを、印字部１０８において印字する（Ｓ１２１）。
【００３１】
以上で、印字装置１における画像処理を終了する。
なお、上述の処理に用いられた指定画像パラメータは、不揮発性メモリ１０２に記憶されている。そして、以降の処理において、同じＵＲＬの印字が指定された場合に、上述の指定画像パラメータは不揮発性メモリ１０２から読込まれ印字画像データ生成の際に用いられる。
【００３２】
さらに、上述の処理に用いられた指定画像パラメータについて、図７および図８の具体例を挙げて説明する。図７は、指定画像パラメータの構成の第１の具体例を示す図である。また、図８は、指定画像パラメータの構成の第２の具体例を示す図である。
【００３３】
図７に構成の具体例が示される指定画像パラメータは、指定されたＵＲＬに対して、カラー指定をしていない指定画像パラメータである。上述の処理において、図７に示される指定画像パラメータを不揮発性メモリ１０２より読込んだ場合は、ダウンロードして取得した各ファイルに対して、それらのファイルがカラーデータである場合は、ステップＳ１１５において、モノクロデータに変換して印字画像データを生成し、ステップＳ１２１においてモノクロ印字する。
【００３４】
図８に具体例が示される指定画像パラメータは、指定されたＵＲＬに対して、詳細な印字形態を指定した指定画像パラメータである。また、カラー調整パラメータ記憶部１０６に記憶されている、カラー印字に対するカラー指定も印字形態として指定された指定画像パラメータである。このような指定画像パラメータは、上述の画像処理において、画像生成部１０７で印字画像データを生成する際に、不揮発性メモリ１０２およびカラー調整パラメータ記憶部１０６より読込まれる。
【００３５】
さらに、上述の処理において、図８に示される指定画像パラメータを読込んだ場合は、ＧＩＦファイルについて印字しない指定がなされているため、画像生成部１０７は、ステップＳ１０９で抽出されるＧＩＦファイルについては、印字画像データの生成を行なわない。また、ＨＴＭＬ  Ｔｅｘｔ、ＰＤＦ、ＴＩＦＦ等のファイルについてモノクロ印字する指定がなされているので、ステップＳ１０９で取得したそれらのファイルがカラーであっても、画像生成部１０７はモノクロデータの印字画像データを生成する。また、ＪＰＥＧ画像ファイルについてはカラー印字する指定がなされており、さらにカラー調整パラメータ記憶部１０６より詳細な指定画像パラメータが付加されているので、画像生成部１０７は、この指定画像パラメータに応じた、予め設定されているカラーバランステーブル（図示せず）を参照して、ステップＳ１０９で取得したＪＰＥＧ画像ファイルに対してカラー補正を行ない、印字画像データを生成する。
【００３６】
なお、上述の本実施の画像処理においては、カラー印字およびモノクロ印字の指定をユーザから受付け、ユーザに指定されたカラーまたはモノクロの印字を行なう処理について説明されているが、本実施の形態における印字装置１の画像処理は、カラーまたはモノクロの印字に限定されるものではなく、ＨＴＭＬに埋込まれた情報であるＴａｇ情報に基づいて、指定された画像を指定用紙サイズにあわせるようにレイアウトして印字する処理等のその他の処理であってもよい。
【００３７】
本実施の形態における印字装置１が、上述の画像処理を実行することによって、ホームページにある様々な情報の各々に対して詳細な指定を行なうことが可能になり、ユーザの意図する画像を印字することができる。それによって、ユーザの所望する画像を生成することができる。また、トナーの不必要な消費を抑えることもできる。
【００３８】
なお、上述の印字装置が行なう画像処理方法を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００３９】
提供されるプログラム製品は、ハードディスクなどのプログラム格納部にインストールされて実行される。
【００４０】
なお、プログラム製品は、プログラム自体と、プログラムが記録された記録媒体とを含む。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本実施の形態における印字システムの構成を示す図である。
【図２】  印字装置１の構成を示す機能ブロック図である。
【図３】  入力情報の第１の具体例を示す図である
【図４】  入力情報の第２の具体例を示す図である。
【図５】  入力情報の第３の具体例を示す図である。
【図６】  本実施の形態の印字装置１における画像処理を示すフローチャートである。
【図７】  指定画像パラメータの構成の第１の具体例を示す図である。
【図８】  指定画像パラメータの構成の第２の具体例を示す図である。
【符号の説明】
１  印字装置、２  インターネット、３，３ａ，３ｂ，３ｃ，３ｄ  サーバ、１０１  入力部、１０２  不揮発性メモリ、１０３  ＬＡＮＩ／Ｆ、１０４  ＨＴＴＰクライアント、１０５  ファイル解析部、１０６  カラー調整パラメータ記憶部、１０７  画像生成部、１０８  印字部。
【図１】
0004134584.tif 000002
【図２】
0004134584.tif 000003
【図３】
0004134584.tif 000004
【図４】
0004134584.tif 000005
【図５】
0004134584.tif 000006
【図６】
0004134584.tif 000007
【図７】
0004134584.tif 000008
【図８】
0004134584.tif 000009